(57)【特許請求の範囲】
【請求項１】
ベースバンド処理ユニット(BBU)または無線周波数処理ユニット(RRU)から同相/直交(I/Q)データを取得するステップと、
光回線終端装置(OLT)または光ネットワークノード(ONU)から受動的光ネットワーク(PON)データを取得するステップと、
所定のマッピングルールによって、前記I/Qデータおよび前記PONデータをベーシックフレームにマッピングするとともに前記ベーシックフレームを送信するステップとを含み、
前記所定のマッピングルールによって前記I/Qデータおよび前記PONデータをベーシックフレームにマッピングするステップが、
前記ベーシックフレーム内に左から右に前記I/Qデータをマッピングするとともに、前記ベーシックフレーム内に右から左に前記PONデータをマッピングするステップ、または、
前記ベーシックフレーム内に左から右に前記PONデータをマッピングするとともに、前記ベーシックフレーム内に右から左に前記I/Qデータをマッピングするステップを含み、
前記左は、前記ベーシックフレームのコントロールワード側を示し、前記右は前記ベーシックフレームのもう一方を示す、データ送信方法。
【請求項２】
前記ベーシックフレームが、共通公共無線インターフェイス(CPRI)ベーシックフレームまたはオープン基地局アーキテクチャ(OBSAI)ベーシックフレームを含む、請求項１に記載の方法。
【請求項３】
ベーシックフレームを受信するステップであって、所定のマッピングルールによって同相/直交(I/Q)データおよび受動的光ネットワーク(PON)データが前記ベーシックフレームにマッピングされる、ステップと、
前記マッピングルールによって、前記ベーシックフレームから前記I/Qデータおよび前記PONデータを分離するステップと、
前記I/Qデータをベースバンド処理ユニット(BBU)または無線周波数処理ユニット(RRU)を送信するステップと、
前記PONデータを光回線終端装置(OLT)または光ネットワークノード(ONU)に送信するステップとを含み、
前記所定のマッピングルールによって同相/直交(I/Q)データおよび受動的光ネットワークPONデータが前記ベーシックフレームにマッピングされることが、
前記I/Qデータが前記ベーシックフレーム内に左から右にマッピングされるとともに、前記PONデータが前記ベーシックフレーム内に右から左にマッピングされること、または、
前記PONデータが前記ベーシックフレーム内に左から右にマッピングされるとともに、前記I/Qデータが前記ベーシックフレーム内に右から左にマッピングされることを含み、
前記左は、前記ベーシックフレームのコントロールワード側を示し、前記右は前記ベーシックフレームのもう一方を示す、データ受信方法。
【請求項４】
前記ベーシックフレームが、共通公共無線インターフェイス(CPRI)ベーシックフレームまたはオープン基地局アーキテクチャ(OBSAI)ベーシックフレームを含む、請求項３に記載の方法。
【請求項５】
ベースバンド処理ユニット(BBU)または無線周波数処理ユニット(RRU)から同相/直交(I/Q)データを取得するように構成される第1の取得ユニットと、
光回線終端装置(OLT)または光ネットワークノード(ONU)から受動的光ネットワーク(PON)データを取得するように構成される第2の取得ユニットと、
所定のマッピングルールによって、前記第1の取得ユニットによって取得された前記I/Qデータおよび前記第2の取得ユニットされた前記PONデータをベーシックフレームをマッピングするように構成されるマッピングユニットと、
前記マッピングユニットによってマッピングされた前記ベーシックフレームを送信するように構成される第1の送信ユニットとを備え、
前記マッピングユニットが特に、
前記ベーシックフレーム内に左から右に前記I/Qデータをマッピングするとともに、
前記ベーシックフレーム内に右から左に前記PONデータをマッピングするように構成される、または、
前記ベーシックフレーム内に左から右に前記PONデータをマッピングするとともに、
前記ベーシックフレーム内に右から左に前記I/Qデータをマッピングするように構成され、
前記左は、前記ベーシックフレームのコントロールワード側を示し、前記右は前記ベーシックフレームのもう一方を示す、データ送信装置。
【請求項６】
前記ベーシックフレームが、共通公共無線インターフェイス(CPRI)ベーシックフレームまたはオープン基地局アーキテクチャ(OBSAI)ベーシックフレームを含む、請求項５に記載の装置。
【請求項７】
ベーシックフレームを受信するように構成される受信ユニットであって、同相/直交(I/Q)データおよび受動的光ネットワーク(PON)データが所定のマッピングルールによって前記ベーシックフレームにマッピングされる、受信ユニットと、
前記マッピングルールによって、前記受信ユニットによって受信された前記ベーシックフレームから前記I/Qデータおよび前記PONデータを分離するように構成される分離ユニットと、
前記分離ユニットによって分離された前記I/Qデータをベースバンド処理ユニット(BBU)または無線周波数処理ユニット(RRU)に送信するように構成される第2の送信ユニットと、
前記分離ユニットによって分離された前記PONデータを光回線終端装置(OLT)または光ネットワークノード(ONU)に送信するように構成される第3の送信ユニットとを備え、
前記同相/直交(I/Q)データおよび受動的光ネットワーク(PON)データが前記所定のマッピングルールによって前記ベーシックフレームにマッピングされることが、
前記I/Qデータが前記ベーシックフレーム内に左から右にマッピングされるとともに、前記PONデータが前記ベーシックフレーム内に右から左にマッピングされること、または、
前記PONデータが前記ベーシックフレーム内に左から右にマッピングされるとともに、前記I/Qデータが前記ベーシックフレーム内に右から左にマッピングされることを含み、
前記左は、前記ベーシックフレームのコントロールワード側を示し、前記右は前記ベーシックフレームのもう一方を示す、データ受信装置。
【請求項８】
前記ベーシックフレームが、共通公共無線インターフェイス(CPRI)ベーシックフレームまたはオープン基地局アーキテクチャ(OBSAI)ベーシックフレームを含む、請求項７に記載の装置。
【発明の詳細な説明】
【技術分野】
【０００１】
本願は、中国専利局へ２０１０年７月２日に出願された「データ送信および受信方法ならびにデータ送信および受信装置」と題される中国特許出願201210224888.8に優先権を主張するものであり、その全体が本願に組み込まれる。
【０００２】
本発明は通信分野に関し、特にデータ送信および受信方法ならびにデータ送信および受信装置に関する。
【背景技術】
【０００３】
分散基地局構造では、ベースバンド処理ユニット(Base Band Unit, BBU)および無線周波数処理ユニット(Radio Remote Unit, RRU)の間で共通公共無線インターフェイス(Common Public Radio Interface, CPRI)またはオープン基地局アーキテクチャ(Open Base Station Architecture Initiative, OBSAI)インターフェイスプロトコルが、光ファイバを介してデータ送信を行うために採用され、その結果として光ファイバを使用する分散基地局の遠隔配置を実現する。これらの構造は広範囲で配置されてきた。アクセスネットワークの受動的光ネットワーク(Passive Optical Network, PON)アプリケーションでは、光ネットワークノード(Optical Network Unit, ONU)として基地局が、光回線終端装置(Optical Line Terminal, OLT)へ向かい、その後コアネットワークに入る。ここで、OLTの減少傾向は、ONUおよびOLTの物理的な位置配置を、より分散基地局配置アーキテクチャでのRRUおよびBBUの位置配置に近づける。従って、光ファイバリソースを節約するために従来技術では、アクセスネットワークの光ファイバリソースは光ファイバを使用する分散基地局の遠隔配置のために使用される。
【０００４】
一方上記の方法では、光転送ネットワーク(Optical Transport Network, OTN)デバイスは、BBUおよびRRU間での複数のPON信号または同相直交(Inphase and Quadrature, I/Q)信号において波長分割多重化を行い、１つの光ファイバを介して信号を送信する必要があり、OTNデバイスの使用がシステム構築費用を大きく増大させる。
【発明の概要】
【課題を解決するための手段】
【０００５】
本発明の実施形態の目的は、光ファイバを使用する分散基地局の遠隔配置の方法におけるOTNデバイスの使用が高いシステム構築費用をもたらすという従来技術の問題を解決するようなPONデータ送信方法を提供することである。
【０００６】
本発明の実施形態は次のように実施される。データ送信方法が、
ベースバンド処理ユニットBBUまたは無線周波数処理ユニットRRUから同相/直交(I/Q)データを取得するステップと、
光回線終端装置OLTまたは光ネットワークノードONUから受動的光ネットワークPONデータを取得するステップと、
所定のマッピングルールによって、I/QデータおよびPONデータをベーシックフレームにマッピングするステップと、
ベーシックフレームを送信するステップとを含む。
【０００７】
本発明の実施形態のその他の目的はデータ受信方法を提供することである。このデータ受信方法は、
ベーシックフレームを受信するステップであって、同相/直交(I/Q)データおよび受動的光ネットワークPONデータが所定のマッピングルールによってベーシックフレームにマッピングされる、ステップと、
所定のマッピングルールによってベーシックフレームからI/QデータおよびPONデータを分離するステップと、
I/Qデータをベースバンド処理ユニットBBUまたは無線周波数処理ユニットRRUに送信するステップと、
PONデータを光回線終端装置OLTまたは光ネットワークノードONUに送信するステップとを含む。
【０００８】
本発明の実施形態のその他の目的はデータ送信装置を提供することである。このデータ送信装置は、
ベースバンド処理ユニットBBUまたは無線周波数処理ユニットRRUから同相/直交(I/Q)データを取得するように構成される第1の取得ユニットと、
光回線終端装置OLTまたは光ネットワークノードONUから受動的光ネットワークPONデータを取得するように構成される第2の取得ユニットと、
所定のマッピングルールによって、第1の取得ユニットによって取得されたI/Qデータおよび第2の取得ユニットによって取得されたPONデータをベーシックフレームにマッピングするように構成されるマッピングユニットと、
マッピングユニットによってマッピングされたベーシックフレームを送信するように構成される第1の送信ユニットと備える。
【０００９】
本発明の実施形態のその他の目的はデータ受信装置を提供することである。このデータ受信装置は、
ベーシックフレームを受信するように構成される受信ユニットであって、同相/直交(I/Q)データおよび受動的光ネットワークPONデータが所定のマッピングルールによってベーシックフレームにマッピングされる、受信ユニットと、
受信ユニットによって受信されたベーシックフレームから所定のマッピングルールによってI/QデータおよびPONデータを分離する分離ユニットと、
分離ユニットによって分離されたI/Qデータをベースバンド処理ユニットBBUまたは無線周波数処理ユニットRRUに送信するように構成される第2の送信ユニットと、
分離ユニットによって分離されたPONデータを光回線終端装置OLTまたは光ネットワークノードONUに送信するように構成される第3の送信ユニットとを備える。
【００１０】
本発明の実施形態では、アクセスネットワークからのPONデータがBBUおよびRRU間に送信されるベーシックフレームに挿入される。従って、いかなる追加のOTNデバイスなしに、PONデータおよびI/Qデータが１つの光ファイバを共有して送信され、このことがシステム構築費用を効果的に削減する。
【図面の簡単な説明】
【００１１】
【図１】本発明の実施形態に基づくデータ送信方法の実施フローチャートである。
【図２】本発明の実施形態に基づくマッピングされたベーシックフレームの概略図である。
【図３】本発明の実施形態に基づくデータ受信方法の実施フローチャートである。
【図４】本発明の実施形態に基づくデータ送信装置の構成ブロック図である。
【図５】本発明の実施形態に基づくデータ受信装置の構成ブロック図である。
【図６】本発明の実施形態に基づくデータ送信装置およびデータ受信装置の実施を示す概略図である。
【発明を実施するための形態】
【００１２】
以下では、添付の本発明の実施形態の図面を参照しながら本発明の実施形態の技術的方法を明瞭かつ完全に説明する。説明される実施形態は本発明の実施形態の全てではなく一部のみを説明するが、当業者によって本発明の実施形態から創作的努力なく得られるその他の実施形態は本発明の保護範囲に含まれる。
【００１３】
本発明の実施形態では、アクセスネットワークからのPONデータがBBUおよびRRU間に送信されるベーシックフレームに挿入される。従って、いかなる追加のOTNデバイスなしに、PONデータおよびI/Qデータが１つの光ファイバを共有して送信され、このことがシステム構築費用を効果的に削減する。
【００１４】
図１は、本発明の実施形態に基づくデータ送信方法の実施フローチャートを示し、以下でその詳細を説明する。
【００１５】
ステップS101において、I/QデータがRRUまたはBBUから取得される。
【００１６】
この実施形態では、I/QデータはRRUまたはBBUから来てよく、第１に、RRUまたはBBUからのアンテナデータを光−電気変換によって光信号から電気信号に変換し、第２に、変換されたデータをクロック修復およびデータ収集のために直列化回路/非直列化回路(Serdes)に入力し、第３に、チャネルアライメント、同期処理、および擬ランダムコード検出を行い、最後にCPRIまたはOBSAIプロトコルによって処理を実行する、ことによってI/Qデータは取得され得る。
【００１７】
ステップS102において、PONデータがONUまたはOLTから取得される。
【００１８】
この実施形態においては、PONデータはONUまたOLTから来てよく、第１にPONデータを光−電気変換によって光信号から電気信号に変換し、第２に変換されたデータをクロック修復およびデータ収集のためにSerdesに入力する、ことによってPONデータが取得され得る。
【００１９】
ステップS103において、I/QデータおよびPONデータが所定のマッピングルールによってベーシックフレームにマッピングされる。
【００２０】
この実施形態では、RRUおよびBBUがCPRIインターフェイスを介して通信する場合、ベーシックフレームはCPRIベーシックフレームであり得る。同様に、RRUおよびBBUがOBSAIインターフェイスを介して通信する場合、ベーシックフレームはOBSAIベーシックフレームであり得る。
【００２１】
処理されたI/QデータおよびPONデータは、所定のマッピング関係によってベーシックフレームにマッピングされ、マッピングされたベーシックフレームを生成する。従って、PONデータは、ベーシックフレームに挿入され、I/Qデータとともに同じベーシックフレームに多重化される。
【００２２】
この実施形態では、所定のマッピングルールは、実際の状況によって柔軟に選択されてよい。
【００２３】
例えば、所定のマッピングルールは、
I/Qデータをベーシックフレーム内に左から右へマッピングするとともに、PONデータをベーシックフレーム内に右から左にマッピングすることであり得る。
【００２４】
上記のマッピングルールにおいて、マッピング完了後のベーシックフレームの構造が図２に示される。
【００２５】
その他の例では、所定のマッピングルールは、
I/Qデータをベーシックフレーム内に右から左にマッピングするとともに、PONデータをベーシックフレーム内に左から右にマッピングすることであり得る。
【００２６】
その他の例では、マッピングルールは、
I/Qデータをベーシックフレーム内に左から右にマッピングするとともに、PONデータをベーシックフレーム内に所定の場所で左から右にマッピングすることでよい。ここで所定の場所は、I/QデータおよびPONデータのビットの数によって決定され、I/QデータおよびPONデータがベーシックフレーム内で重ならないようにし、両者が完全にベーシックフレームにマッピングされることを保証する。
【００２７】
その他の例では、所定のマッピングルールは、
PONデータをベーシックフレーム内に所定の場所で右から左にマッピングするとともに、I/Qデータをベーシックフレーム内に所定の場所で左から右にマッピングすることであってよい。ここで所定の場所は、I/QデータおよびPONデータの両者がベーシックフレームに完全にマッピングされる約束に基づいて決定される。
【００２８】
上記の説明は所定のマッピングルールのいくつかの例示に過ぎず、本発明を限定する意図はない。同様の原則に基づいて、上記の「左から右」のマッピングルールが、「上から下」のマッピングルールにさらに変更されてもよいが、このルールについて再びここで説明はしない。
【００２９】
さらに、所定のマッピングルールが決定した後に、マッピングされたI/QデータおよびPONデータが重ならない境界指示が、I/QデータのサイズおよびPONデータのサイズによってベーシックフレーム内でさらに決定されてもよい。これは、受信機がベーシックフレームを受信した後にベーシックフレームからI/QデータおよびPONデータを受信機が分離する際に役に立つ。
【００３０】
ステップS104では、ベーシックフレームが送信される。
【００３１】
この実施形態では、マッピングされたベーシックフレームが取得されるとき、処理はCRPIまたはOBSAIプロトコルによって行われ、ベーシックフレームを電気−光変換によって電気信号から光信号に変換し、変換されたベーシックフレームを送信のために光ファイバに入力し、ベーシックフレームをONU/OLTおよびBBU/RRUの各々に送信する。
【００３２】
本発明の実施形態では、アクセスネットワークからのPONデータが、BBUおよびRRU間に送信されるベーシックフレームに挿入される。従って、いかなる追加のOTNデバイスなしに、PONデータおよびI/Qデータが１つの光ファイバを共有して送信され、このことがシステム構築費用を効果的に削減する。
【００３３】
図３は、本発明の実施形態に基づくデータ受信方法の実施フローチャートである。この実施形態では、図１で示された実施形態によって提供されるデータ送信方法に基づき生成されたマッピングされたベーシックフレームが光ファイバを介してピアデバイスへ送信された後に、ベーシックフレーム内でPONデータおよびI/Qデータが、ベーシックフレームの生成時に使用されたマッピングルールによって分離され、分離されたデータが対応するインターフェイスへそれぞれ送信されるようにして、データ受信を実施する。具体的な実施プロセスが以下で詳細に説明される。
【００３４】
ステップS301では、ベーシックフレームが受信される。ここでI/QデータおよびPONデータは、所定のマッピングルールによってベーシックフレームにマッピングされる。
【００３５】
この実施形態では、光ファイバによって送信されるベーシックフレームが受信される。ベーシックフレームでは、I/QデータおよびPONデータが所定のマッピングルールでマッピングされる。
【００３６】
この実施形態では、光ファイバによって送信されたベーシックフレームが受信された後に、第１にベーシックフレームを光−電気変換によって光信号から電気信号に変換し、第２にクロック修復およびデータ収集のためにベーシックフレームをSerdesに入力し、第３にチャネルアライメント、同期処理、および擬ランダムコード検出を行い、最後にCPRIまたはOBSAIプロトコルによってベーシックフレームを受信することが必要である。
【００３７】
ステップS302では、I/QデータおよびPONデータは、所定のマッピングルールによってベーシックフレームから分離される。
【００３８】
例えば、ベーシックフレームは図２に示されるマッピングルールによって生成されるので、I/QデータおよびPONデータがベーシックフレームから分離されるときに、ベーシックフレームのデータが、左から右にI/Qデータが分離されるまで抽出されるとともに、ベーシックフレームのデータが、右から左にPONデータが分離されるまで抽出される。
【００３９】
その他の例では、I/Qデータがベーシックフレーム内に左から右にマッピングされるとともに、PONデータがベーシックフレームの所定の場所で左から右にマッピングされるマッピングルールによってベーシックフレームが生成される場合、I/Qデータは、ベーシックフレームから左から右に抽出されるとともに、PONデータは、ベーシックフレームの所定の場所から左から右に抽出される。
【００４０】
その他の例では、所定のマッピングルールが、PONデータおよびI/Qデータのビットの数によってベーシックフレーム内に所定の場所を決定し、PONデータをベーシックフレーム内に所定の場所で右から左にマッピングし、I/Qデータをベーシックフレーム内に所定の場所で左から右にマッピングすることである場合に、I/Qデータは、ベーシックフレーム内に所定の場所から左から右に抽出され、PONデータは、ベーシックフレーム内に所定の場所から右から左に抽出される。
【００４１】
ステップS303において、I/QデータはBBUまたはRRUに送信される。
【００４２】
ステップS304において、PONデータはOLTまたはONUに送信される。
【００４３】
この実施形態において、分離されたI/QデータはBBUまたはRRUに送信されるとともに、分離されたPONデータはOLTまたはONUに送信され、I/QデータおよびPONデータの受信が実施される。
【００４４】
この実施形態において、多重化されたベーシックフレームは逆多重化されI/QデータおよびPONデータを分離する。分離されたI/QデータはBBUまたはRRUへの送信のために対応するCPRI/OBSAIインターフェイスに送信され、分離されたPONデータは、ONUまたはOLTへの送信のために対応するPONインターフェイスに送信される。従って、PONデータおよびI/Qデータの並列送信が１つの光ファイバを介して実施され、このことが無線ネットワークの構築費用を効果的に削減する。
【００４５】
図４は、発明の実施形態に基づくデータ送信装置の構成ブロック図であり、簡潔な説明のために実施形態に関する部分のみが示される。
【００４６】
図４を参照すると、データ送信装置は、
RRUまたはBBUからI/Qデータを取得するように構成される第1の取得ユニット41と、
ONUまたはOLTからPONデータを取得するように構成される第2の取得ユニット42と、
所定のマッピングルールによって、第1の取得ユニットによって取得されたI/Qデータ41および第2の取得ユニットによって取得されたPONデータ42をベーシックフレームにマッピングするように構成されるマッピングユニット43と、
マッピングユニット43によってマッピングされたベーシックフレームを送信するように構成される第1の送信ユニット44とを備える。
【００４７】
ベーシックフレームは、共通公共無線インターフェイスCPRIベーシックフレームまたはオープン基地局アーキテクチャOBSAIベーシックフレームを含む。
【００４８】
具体的にはマッピングユニット43は選択的に
ベーシックフレーム内に左から右にI/Qデータをマッピングするとともに、
ベーシックフレーム内に右から左にPONデータをマッピングするように構成されるか、
ベーシックフレーム内に左から右にPONデータをマッピングするとともに、
ベーシックフレーム内に右から左にI/Qデータをマッピングするように構成される。
【００４９】
図５は、本発明の実施形態に基づくデータ受信装置の構成ブロック図であり、簡潔な説明のために、実施形態に関係する部分のみが示される。
【００５０】
図５を参照すると、データ受信装置は、
ベーシックフレームを受信するように構成される受信ユニット51であって、I/QデータおよびPONデータは所定のマッピングルールによってベーシックフレームにマッピングされる、受信ユニット51と、
受信ユニット51によって受信されたベーシックフレームからI/QデータおよびPONデータを分離するように構成される分離ユニット52と、
分離ユニット52によって分離されたI/QデータをベースBBUまたはRRUに送信するように構成される第2の送信ユニット53と、
分離ユニット52によって分離されたPONデータをOLTまたはONUに送信するように構成される第3の送信ユニット54とを備える。
【００５１】
ベーシックフレームは、CPRIベーシックフレームまたはOBSAIベーシックフレームを含む。
【００５２】
さらに特定の実施では、データ送信装置およびデータ受信装置は、BBUおよびRRUに配置され、それぞれベーシックフレームを送信および受信してI/QデータおよびPONデータの送信を実施してもよい。さらに、データ送信装置およびデータ受信装置は、１つのエンティティを使用することで実施されてもよい。１つの実施法が図６に示される。実線部分で示されるように、I/Qデータのフローが光−電気変換、直列化回路処理、チャネルアライメント、同期処理、擬ランダムコード検出、およびCPRIまたはOBSAIプロトコル処理を通過した後に、I/Qデータは、光−電気変換および直列化回路処理を通過したPONデータの異なるフローと一緒にデータ送信装置によって、送信のためにベーシックフレームにマッピングされる。点線で示されるように、光ファイバによって受信されたマッピングされたベーシックフレームが、光−電気変換、直列化回路処理、チャネルアライメント、同期処理、擬ランダムコード検出、およびCPRIまたはOBSAIプロトコル処理を受けた後に、PONデータおよびI/Qデータは、データ受信装置で所定のマッピングルールによってベーシックフレームから分離され、対応するPONインターフェイスおよび対応するCPRI/OBSAIインターフェイスにそれぞれ送信される。
【００５３】
本発明の実施形態では、アクセスネットワークからのPONデータはBBUおよびRRU間に送信されるベーシックフレームに挿入される。従って、いかなる追加のOTNデバイスなしに、PONデータおよびI/Qデータが１つの光ファイバで共有されるように送信され、このことがシステム構築費用を効果的に削減する。
【００５４】
当業者は気づくであろうが、本明細書で開示された実施形態で説明された例示を参照し、ユニットおよびアルゴリズムのステップが、電気的なハードウェア、コンピュータソフトウェア、またはそれらの組み合わせで実施可能である。ハードウェアおよびソフトウェア間の互換性を明確に説明するために、これまでは機能に基づく各例の構成およびステップが一般的に説明されてきた。
【００５５】
機能がハードウェアまたはソフトウェアによって実行されるかは、技術的方法の具体的な応用および設計的制約条件に依存する。当業者は、異なる方法を用いて、各特定の応用に対して説明した機能を実施することが可能であるが、このような実施が本発明の範囲を超えると考えるべきではない。
【００５６】
当業者にとっては明らかであろうが、便宜的なおよび簡潔な説明の目的のために、前記のシステム、装置、およびユニットの特定の稼働処理については、前述の方法の実施形態における対応する処理を参照することができ、ここで再び詳細に説明はしない。
【００５７】
本願において提供されるいくつかの実施形態において、開示のシステム、装置、および方法がその他の方法で実施できることは理解されるだろう。例えば、説明した装置の実施形態は単なる例示であり、例えばユニットの分割は、単に論理的機能の分割であり、実際の実施においてはその他の分割であってもよい。例えば、複数のユニットまたは構成部分が組み合わさっても、その他のシステムに統合されてもよい。または、いくつかの特徴が省略されるまたは実行されなくてもよい。加えて、表示もしくは議論された相互結合もしくは直接結合または通信接続はいくつかのインターフェイスを介して実施されてよい。装置またはユニット間の直接結合または通信接続は、電気的に、機械的に、またはその他の形で実施されてよい。
【００５８】
分離するとして説明されたユニットは、物理的に分離していてもよいし、していなくてもよく、ユニットとして表示された部分は、物理的なユニットであってもそうでなくてもよく、一か所に位置しても、複数のネットワークユニット上に分散していてもよい。ユニットの一部または全ては、実際の必要に応じて本発明の実施形態の解決方法の目的が達成できるように選択され得る。
【００５９】
加えて、本発明の実施形態での機能的ユニットは１つの処理ユニットに統合されてもよいし、ユニットの各々が物理的に単独で存在してもいいし、２以上のユニットが１つのユニットに統合されてもよい。統合されたユニットは、ハードウェアの形式で実施されてもよいし、ソフトウェア機能ユニットの形で実施されてもよい。
【００６０】
統合されたユニットがソフトウェア機能ユニットの形で実施され、独立した製品として販売または使用される場合、統合されたユニットはコンピュータ可読記録媒体に記録され得る。このような理解のもと、本発明の技術的解決方法、従来技術に貢献する部分、または技術的解決方法の全てもしくは一部がソフトウェア製品の形で実施され得る。コンピュータソフトウェア製品は、記録媒体内に記録され、コンピュータデバイス(パーソナルコンピュータ、サーバ、ネットワークデバイス等)を命令し本発明の実施形態で説明した方法のステップの全てまたは一部を実行するためのいくつかの命令を含む。前記の記録媒体は、プログラムコードを記録することが可能な、例えば、USBフラッシュドライブ、取り外し可能なハードディスク、読み出し専用メモリ(ROM, Read-Only Memory)、ランダムアクセスメモリ(RAM, Random アクセス Memory)、磁気ディスク、または光ディスク等のいかなる媒体を含む。
【００６１】
これまでの説明は単に本発明の特定の実施形態であり、本発明の保護範囲を限定する意図はない。本発明の技術的範囲内で当業者によって容易に理解されるどのような等価な変更または置換も本発明の保護範囲に入る。従って、本発明の保護範囲は特許請求の保護範囲を対象とする。
【符号の説明】
【００６２】
BBU ベースバンド処理ユニット(Base Band Unit)
RRU 無線周波数処理ユニット(Radio Remote Unit)
CPRI 共通公共無線インターフェイス(Common Public Radio Interface)
OBSAI オープン基地局アーキテクチャ(Open Base Station Architecture Initiative)
PON アクセスネットワークの受動的光ネットワーク(Passive Optical Network)
I/Q 同相/直交(Inphase and Quadrature)
ONU ワークノード(Optical Network Unit)
OLT 光回線終端装置(Optical Line Terminal)
OTN 光転送ネットワーク(Optical Transport Network)
41 第1の取得ユニット
42 第2の取得ユニット
43 マッピングユニット
44 第1の送信ユニット
51 受信ユニット
52 分離ユニット
53 第2の送信ユニット
54 第3の送信ユニット
【図１】
0005928931.tif 000002
【図２】
0005928931.tif 000003
【図３】
0005928931.tif 000004
【図４】
0005928931.tif 000005
【図５】
0005928931.tif 000006
【図６】
0005928931.tif 000007